【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
遊技球の通過により所定利得を発生させる有利領域と発生させない非有利領域とに、遊技球を振り分ける振分装置を備えた弾球遊技機において、
前記振分装置は、複数のプーリと、該プーリに掛け渡された無端ベルトと、少なくとも一のプーリを回転駆動して該無端ベルトを回動させる駆動手段とを備えたベルト回動装置と、遊技球が遊動可能なステージを備え、遊技球を通過不能な間隙をおいて前記無端ベルトの外表面に対向配置されて、前記無端ベルトの外表面と共同して該ステージ上で遊技球を支持するステージ部材とを備えてなり、
前記ベルト回動装置の無端ベルトは、
前記ステージ部材と対向した状態で該ステージ部材との間に遊技球を通過可能な球通過空隙が形成されるように凹設または穿設され、前記ステージ上の遊技球を該球通過空隙を介して前記有利領域へ流下させる有利通過部
を備えていることを特徴とする弾球遊技機。
【手続補正２】
【補正対象書類名】明細書
【補正対象項目名】０００６
【補正方法】変更
【補正の内容】
【０００６】
本発明の第一発明は、遊技球の通過により所定利得を発生させる有利領域と発生させない非有利領域とに、遊技球を振り分ける振分装置を備えた弾球遊技機において、前記振分装置は、複数のプーリと、該プーリに掛け渡された無端ベルトと、少なくとも一のプーリを回転駆動して該無端ベルトを回動させる駆動手段とを備えたベルト回動装置と、遊技球が遊動可能なステージを備え、遊技球を通過不能な間隙をおいて前記無端ベルトの外表面に対向配置されて、前記無端ベルトの外表面と共同して該ステージ上で遊技球を支持するステージ部材とを備えてなり、前記ベルト回動装置の無端ベルトは、前記ステージ部材と対向した状態で該ステージ部材との間に遊技球を通過可能な球通過空隙が形成されるように凹設または穿設され、前記ステージ上の遊技球を該球通過空隙を介して前記有利領域へ流下させる有利通過部を備えていることを特徴とする弾球遊技機である。
【手続補正３】
【補正対象書類名】明細書
【補正対象項目名】０００８
【補正方法】変更
【補正の内容】
【０００８】
本明細書において参考として開示する第１開示発明は、遊技球の通過により所定利得を発生させる有利領域と発生させない非有利領域とに、遊技球を振り分ける振分装置を備えた弾球遊技機において、前記振分装置は、複数のプーリと、該プーリに掛け渡された無端ベルトと、少なくとも一のプーリを回転駆動して該無端ベルトを回動させる駆動手段とを備えたベルト回動装置と、遊技球が遊動可能なステージを備え、遊技球を通過不能な間隙をおいて前記無端ベルトの外表面に対向配置されて、前記無端ベルトの外表面と共同して該ステージ上で遊技球を支持するステージ部材とを備えてなり、前記ベルト回動装置の無端ベルトは、外表面から突成され、前記ステージ上の遊技球と接触可能な複数の凸部と、前記ステージ部材と対向した状態で該ステージ部材との間に遊技球を通過可能な球通過空隙が形成されるように凹設または穿設され、前記ステージ上の遊技球を該球通過空隙を介して前記有利領域へ流下させる有利通過部とを備えていることを特徴とする弾球遊技機である。
かかる構成にあっては、無端ベルトの回動中に、ステージ上の遊技球が無端ベルトの凸部に接触することによって動き、該ステージ上で遊動することから、有利通過部がステージ部材と対向した状態における該ステージ上での遊技球の位置によって、遊技球が球通過空隙を介して有利領域へ流下したり、該球通過空隙を通過できずに該有利領域へ流下できなかったりする。本発明の振分装置によれば、ステージ上での遊技球の動きにより、所定利得を発生させる有利領域へ流下するか否かが決まることから、該利得の発生を求める遊技者の感情を、該遊技球の動きによって一喜一憂させることができ得る。このように本発明は、無端ベルトの回動により遊技球を有利領域に振り分け可能とするという従来に無い斬新な振分装置を備えたものであり、該振分装置によって従来に無い面白みが生ずることから、遊技の興趣を飛躍的に向上できる。
【手続補正４】
【補正対象書類名】明細書
【補正対象項目名】０００９
【補正方法】変更
【補正の内容】
【０００９】
前記第１開示発明の弾球遊技機にあって、ステージ部材のステージは、無端ベルトの外表面に向かって下方傾斜している構成が提案される。本構成が、本明細書において参考として開示する第２開示発明である。
【手続補正５】
【補正対象書類名】明細書
【補正対象項目名】００１１
【補正方法】変更
【補正の内容】
【００１１】
前記第１開示発明または第２開示発明の弾球遊技機にあって、ベルト回動装置の無端ベルトは、ステージ部材と対向した状態で該ステージ部材との間に遊技球を通過可能な球通過空隙が形成されるように凹設または穿設され、ステージ上の遊技球を該球通過空隙を介して非有利領域へ流下させる非有利通過部が、有利通過部と異なる位置に設けられたものである構成が提案される。本構成が、本明細書において参考として開示する第３開示発明である。
ここで、「有利領域」と「非有利領域」とは、ステージ部材の下方に配設された構成が好適である。さらに言えば、「有利領域」が、無端ベルトの有利通過部とステージ部材とにより形成される球通過空隙の下方に配設され、かつ「非有利領域」が、無端ベルトの非有利通過部とステージ部材とにより形成される球通過空隙の下方に配設された構成が好適である。尚、非有利通過部が、前記した非有利誘導手段に相当する。
【手続補正６】
【補正対象書類名】明細書
【補正対象項目名】００１３
【補正方法】変更
【補正の内容】
【００１３】
前記第１開示発明乃至第３開示発明のいずれかの弾球遊技機にあって、ステージ部材は、少なくとも有利通過部が穿設された無端ベルトを介して一のプーリと対向する位置に配設されたものであって、前記ステージ部材に対向するプーリは、前記無端ベルトの両側端部が夫々掛けられる一対のベルト掛部と、両ベルト掛部に夫々連結されて両ベルト掛部を一体的に回動させるシャフト部とを備え、該シャフト部が、前記ステージ部との間隔を遊技球の直径以上とし、かつ前記無端ベルトの内面との間隔を該遊技球の直径未満とするように設けられている構成が提案される。本構成が、本明細書において参考として開示する第４開示発明である。
【手続補正７】
【補正対象書類名】明細書
【補正対象項目名】００１５
【補正方法】変更
【補正の内容】
【００１５】
尚、前記した第１開示発明乃至第４開示発明のいずれかの弾球遊技機にあって、「ベルト回動装置とステージ部材との少なくとも一方が、ステージ上の遊技球を無端ベルトの外表面と共同して支持する支持位置と、該ステージ部材と無端ベルトの外表面との間に遊技球を通過可能な幅広間隙を形成して、該幅広間隙を介して遊技球を非有利領域に流下させる不支持位置とに位置変換可能に設けられてなり、予め定められた不支持条件の成立に伴って、前記不支持位置に位置変換させる位置変換制御手段を備える」構成が提案される。
ここで、「不支持位置」は、ベルト回動装置とステージ部材との少なくとも一方を、支持位置から回動（傾動）させた位置、又は該支持位置から互いに離間する方向に移動させた位置とすることが好適である。すなわち、ベルト回動装置とステージ部材との少なくとも一方を、回動可能に設けた構成、又は互いに近接する方向と離間する方向とに進退移動可能に設けた構成により実現できる。また、「不支持条件」としては、例えば、ステージ上での遊技球の滞在時間が所定時間に達すること、ステージ上の遊技球数が増加すること、大当りが発生すること等を定めることができる。尚、本構成にあって、不支持位置に位置変換されるベルト回動装置および／又はステージ部材と、位置変換制御手段とが、前記した非有利誘導手段に相当する。
かかる構成にあっては、不支持位置への位置変換によってステージ上の遊技球が非有利領域に流下することから、所定利得を発生させるためにはステージ上の遊技球を有利通過部による球通過空隙を介して流下させることが必須となる。これにより、ステージ上での遊技球の動きに遊技者の注意を一層強く惹き付けることができるため、所定利得の発生を求める遊技者の感情を一層効果的に刺激でき、遊技の興趣をさらに向上できる。
【手続補正８】
【補正対象書類名】明細書
【補正対象項目名】００１６
【補正方法】変更
【補正の内容】
【００１６】
一方、本明細書において参考として開示する第５開示発明は、遊技球の通過により所定利得を発生させる有利領域と発生させない非有利領域とに、遊技球を振り分ける振分装置を備えた弾球遊技機において、前記振分装置は、周方向に回転可能に設けられた円筒状のローラー体と、該ローラー体を周方向に回動させる駆動手段とを備えたローラー回動装置と、遊技球が遊動可能なステージを備え、遊技球を通過不能な間隙をおいて前記ローラー体の外表面に対向配置されて、該ローラー体の外表面と共同して該ステージ上の遊技球を支持するステージ部材とを備えてなり、前記ローラー体は、外表面から突成され、前記ステージ上の遊技球と接触可能な複数の凸部と、前記ステージ部材と対向した状態で該ステージ部材との間に遊技球を通過可能な球通過空隙が形成されるように凹設または穿設され、前記ステージ上の遊技球を該球通過空隙を介して前記有利領域へ流下させる有利通過部とを備えていることを特徴とする弾球遊技機である。
【手続補正９】
【補正対象書類名】明細書
【補正対象項目名】００１８
【補正方法】変更
【補正の内容】
【００１８】
かかる構成にあっては、ローラー体の回動中に、ステージ上の遊技球が該ローラー体の凸部に接触することによって動き、該ステージ上を移動することから、有利通過部がステージ部材と対向した状態における該ステージ上での遊技球の位置によって、遊技球が球通過空隙を介して有利領域へ流下したり、該球通過空隙を通過できずに該有利領域へ流下できなかったりする。本発明の振分装置によれば、前記した第一発明と同様、ステージ上での遊技球の動きにより、所定利得を発生させる有利領域へ流下するか否かが決まることから、該利得の発生を求める遊技者の感情を、該遊技球の動きによって一喜一憂させることができ得る。したがって、第５開示発明の構成にあっても、前述した第１開示発明と同様の作用効果を奏する。
【手続補正１０】
【補正対象書類名】明細書
【補正対象項目名】００１９
【補正方法】変更
【補正の内容】
【００１９】
尚、前記第５開示発明の構成にあって、「ステージ部材のステージは、ローラー体の外表面に向かって下方傾斜している」構成が提案される。かかる構成は、前述した第２開示発明と同様の作用効果を奏し得る。
また、前記第５開示発明の構成にあって、「ローラー回動装置のローラー体は、ステージ部材と対向した状態で該ステージ部材との間に遊技球を通過可能な球通過空隙が形成されるように凹設または穿設され、ステージ上の遊技球を該球通過空隙を介して非有利領域へ流下させる非有利通過部が、有利通過部と異なる位置に設けられたものである」構成が提案される。かかる構成は、前述した第３開示発明と同様の作用効果を奏し得る。ここで、「有利領域」と「非有利領域」とは、ステージ部材の下方に配設された構成が好適である。さらに言えば、「有利領域」が、ローラー体の有利通過部とステージ部材とにより形成される球通過空隙の下方に配設され、かつ「非有利領域」が、ローラー体の非有利通過部とステージ部材とにより形成される球通過空隙の下方に配設された構成が好適である。
また、前記第５開示発明の構成にあって、「ローラー回動装置とステージ部材との少なくとも一方が、ステージ上の遊技球をローラー体の外表面と共同して支持する支持位置と、該ステージ部材とローラー体の外表面との間に遊技球を通過可能な幅広間隙を形成して、該幅広間隙を介して遊技球を非有利領域に流下させる不支持位置とに位置変換可能に設けられてなり、予め定められた不支持条件の成立に伴って、前記不支持位置に位置変換させる位置変換制御手段を備える」構成が提案される。かかる構成は、前述した「ベルト回動装置とステージ部材との少なくとも一方を支持位置と不支持位置とに変換させる」構成と同様の作用効果を奏し得る。ここで、「不支持位置」および「不支持条件」も、前述の構成と同様に定めることができる。